(57)【要約】  ここで説明する技術は、吸着体アセンブリを構築する方法に関する。吸着材がハウジング内に密閉される。ハウジング内に密閉される吸着材は、湿気が、ハウジングによって画定される注入開口部を通してハウジングから排出されることを可能にすることによって乾燥される。水が注入開口部を通してハウジング内に注入される。ハウジング内に水を注入した後、ハウジングの注入開口部は、実質的に水蒸気不透過性の材料で封止される。吸着体アセンブリも説明される。
2018524143.tif 000002
【特許請求の範囲】
【請求項１】
吸着体アセンブリであって、
キャビティ及び注入開口部を画定するハウジングと、
前記キャビティの一部内に位置決めされる第１の吸着材と、
前記注入開口部に隣接する空隙容積であって、前記ハウジングによって画定される空隙容積と、
前記注入開口部を塞ぎ、且つ前記ハウジングに結合される第１の実質的に水蒸気不透過性の材料と
を含む、吸着体アセンブリ。
【請求項２】
前記注入開口部の周囲で前記ハウジングに結合されるメンブレンであって、前記注入開口部と重なり合う開口部を画定するメンブレンを更に含む、請求項１又は３〜１５のいずれか一項に記載の吸着体アセンブリ。
【請求項３】
前記ハウジングに結合され、且つ前記キャビティを覆う第２の実質的に水蒸気不透過性の材料を更に含む、請求項１若しくは２又は４〜１５のいずれか一項に記載の吸着体アセンブリ。
【請求項４】
前記第２の実質的に水蒸気不透過性の材料は、ポリカーボネートを含む、請求項１〜３又は５〜１５のいずれか一項に記載の吸着体アセンブリ。
【請求項５】
前記キャビティ内に位置決めされる第２の吸着材であって、前記第２の実質的に水蒸気不透過性の材料に対して前記第１の吸着材の反対側に位置決めされる第２の吸着材を更に含む、請求項１〜４又は６〜１５のいずれか一項に記載の吸着体アセンブリ。
【請求項６】
前記空隙容積は、前記吸着材によって吸収される所定量の液体水を収容するように構成される、請求項１〜５又は７〜１５のいずれか一項に記載の吸着体アセンブリ。
【請求項７】
前記ハウジングの外面は、前記キャビティに通じる機能開口部を画定し、前記アセンブリは、前記機能開口部を横断して前記ハウジングに結合される脱着可能なカバーシールを更に含み、前記注入開口部は、前記機能開口部の面積よりも小さい面積を有する、請求項１〜６又は８〜１５のいずれか一項に記載の吸着体アセンブリ。
【請求項８】
前記ハウジングは、ポリカーボネートを含む、請求項１〜７又は９〜１５のいずれか一項に記載の吸着体アセンブリ。
【請求項９】
前記第１の実質的に水蒸気不透過性の材料は、金属化フィルムを含む、請求項１〜８又は１０〜１５のいずれか一項に記載の吸着体アセンブリ。
【請求項１０】
前記第１の実質的に水蒸気不透過性の材料は、熱可塑性プラグを含む、請求項１〜９又は１１〜１５のいずれか一項に記載の吸着体アセンブリ。
【請求項１１】
前記第１の実質的に水蒸気不透過性の材料は、接着剤を含む、請求項１〜１０又は１２〜１５のいずれか一項に記載の吸着体アセンブリ。
【請求項１２】
前記注入開口部は、周囲条件下で５ｍｇ／時未満の拡散速度を有する、請求項１〜１１又は１３〜１５のいずれか一項に記載の吸着体アセンブリ。
【請求項１３】
前記空隙容積は、前記吸着体によって更に画定される、請求項１〜１２又は１４若しくは１５のいずれか一項に記載の吸着体アセンブリ。
【請求項１４】
前記注入開口部は、約１３ｍｍ２未満の断面積を有する、請求項１〜１３又は１５のいずれか一項に記載の吸着体アセンブリ。
【請求項１５】
前記注入開口部は、３ｍｍ未満の長さを有する、請求項１〜１４のいずれか一項に記載の吸着体アセンブリ。
【請求項１６】
吸着体アセンブリを構築する方法であって、
吸着材をハウジング内に密閉することと、
湿気が、前記ハウジングによって画定される注入開口部を通して前記ハウジングから排出されることを可能にすることを含む、前記ハウジング内に密閉される前記吸着材を乾燥させることと、
前記注入開口部を通して前記ハウジング内に水を注入することであって、前記水は、前記注入開口部に隣接する空隙容積内に注入される、注入することと、
前記ハウジング内に水を注入した後、前記ハウジングの前記注入開口部を実質的に水蒸気不透過性の材料で封止することと
を含む、方法。
【請求項１７】
湿気が排出されることを可能にすることは、前記ハウジングの一部を穿孔して注入開口部を作成することを含む、請求項１６又は１８〜３２のいずれか一項に記載の方法。
【請求項１８】
前記注入開口部は、前記吸着材を前記ハウジング内に密閉する前に前記ハウジングによって画定される、請求項１６若しくは１７又は１９〜３２のいずれか一項に記載の方法。
【請求項１９】
前記ハウジング内に水を注入することは、前記ハウジングによって画定される前記注入開口部を横断して配設されるメンブレンを穿孔することを含む、請求項１６〜１８又は２０〜３２のいずれか一項に記載の方法。
【請求項２０】
湿気は、前記注入開口部を横断して配設される前記メンブレンを通して前記ハウジングから排出される、請求項１６〜１９又は２１〜３２のいずれか一項に記載の方法。
【請求項２１】
前記ハウジング内に水を注入することは、前記注入開口部を通して注入器を挿入することを含む、請求項１６〜２０又は２２〜３２のいずれか一項に記載の方法。
【請求項２２】
吸着材を前記ハウジング内に密閉することは、前記ハウジングの外面によって画定される機能開口部を横断して前記ハウジングに脱着可能な封止カバーを結合することを含み、前記注入開口部は、前記機能開口部よりも小さい面積を有する、請求項１６〜２１又は２３〜３２のいずれか一項に記載の方法。
【請求項２３】
前記ハウジング内に水を注入することは、前記ハウジング及び前記吸着材によって相互に画定される空隙容積内に水を注入することを含み、前記空隙容積は、前記注入開口部に隣接する、請求項１６〜２２又は２４〜３２のいずれか一項に記載の方法。
【請求項２４】
前記ハウジングの前記注入開口部を実質的に水蒸気不透過性の材料で封止することは、金属化フィルムを前記注入開口部の上に接着することを含む、請求項１６〜２３又は２５〜３２のいずれか一項に記載の方法。
【請求項２５】
前記ハウジングの前記注入開口部を実質的に水蒸気不透過性の材料で封止することは、熱可塑性材料のプレートを前記開口部の上に溶着することを含む、請求項１６〜２４又は２６〜３２のいずれか一項に記載の方法。
【請求項２６】
前記ハウジングの前記注入開口部を実質的に水蒸気不透過性の材料で封止することは、前記注入開口部に接着剤で栓をすることを含む、請求項１６〜２５又は２７〜３２のいずれか一項に記載の方法。
【請求項２７】
前記注入開口部は、周囲条件下で５ｍｇ／時未満の拡散速度を有する、請求項１６〜２６又は２８〜３２のいずれか一項に記載の方法。
【請求項２８】
前記空隙容積は、前記ハウジングによって画定される、請求項１６〜２７又は２９〜３２のいずれか一項に記載の方法。
【請求項２９】
前記空隙容積は、前記吸着体によって更に画定される、請求項１６〜２８又は３０〜３２のいずれか一項に記載の方法。
【請求項３０】
前記空隙容積は、前記吸着材によって吸収される所定量の液体水を収容するように構成される、請求項１６〜２９又は３１若しくは３２のいずれか一項に記載の方法。
【請求項３１】
前記注入開口部は、約１３ｍｍ２未満の断面積を有する、請求項１６〜３０又は３２のいずれか一項に記載の方法。
【請求項３２】
前記注入開口部は、３ｍｍ未満の長さを有する、請求項１６〜３１のいずれか一項に記載の方法。
【請求項３３】
吸着体アセンブリであって、
キャビティ及び注入開口部を画定するハウジングであって、前記注入開口部は、約１３ｍｍ２未満の断面積と３ｍｍ未満の長さとを有する、ハウジングと、
前記ハウジング内に位置決めされる吸着材と、
前記注入開口部の周囲で前記ハウジングに結合されるメンブレンであって、前記注入開口部と重なり合う開口部を画定するメンブレンと、
前記注入開口部を塞ぐ第１の実質的に水蒸気不透過性の材料と
を含む、吸着体アセンブリ。
【請求項３４】
前記ハウジングは、前記注入開口部に隣接する空隙容積を画定する、請求項３３又は３５〜４４のいずれか一項に記載の吸着体アセンブリ。
【請求項３５】
前記空隙容積は、前記吸着体によって更に画定される、請求項３３若しくは３４又は３６〜４４のいずれか一項に記載の吸着体アセンブリ。
【請求項３６】
前記空隙容積は、前記吸着材によって吸収される所定量の液体水を収容するように構成される、請求項３３〜３５又は３７〜４４のいずれか一項に記載の吸着体アセンブリ。
【請求項３７】
前記ハウジングの外面は、前記キャビティに通じる機能開口部を画定し、前記アセンブリは、前記機能開口部を横断して前記ハウジングに結合される脱着可能なカバーシールを更に含み、前記注入開口部は、前記機能開口部の面積よりも小さい面積を有する、請求項３３〜３６又は３８〜４４のいずれか一項に記載の吸着体アセンブリ。
【請求項３８】
前記ハウジングに結合され、且つ前記キャビティを覆う第２の実質的に水蒸気不透過性の材料を更に含む、請求項３３〜３７又は３９〜４４のいずれか一項に記載の吸着体アセンブリ。
【請求項３９】
前記第２の実質的に水蒸気不透過性の材料は、ポリカーボネートを含む、請求項３３〜３８又は４０〜４４のいずれか一項に記載の吸着体アセンブリ。
【請求項４０】
前記キャビティ内に位置決めされる第２の吸着材であって、前記第２の実質的に水蒸気不透過性の材料に対して前記第１の吸着材の反対側に位置決めされる第２の吸着材を更に含む、請求項３３〜３９又は４１〜４４のいずれか一項に記載の吸着体アセンブリ。
【請求項４１】
前記ハウジングは、ポリカーボネートを含む、請求項３３〜４０又は４２〜４４のいずれか一項に記載の吸着体アセンブリ。
【請求項４２】
前記第１の実質的に水蒸気不透過性の材料は、金属化フィルムを含む、請求項３３〜４１又は４３若しくは４４のいずれか一項に記載の吸着体アセンブリ。
【請求項４３】
前記第１の実質的に水蒸気不透過性の材料は、溶着されたプレートを含む、請求項３３〜４２又は４４のいずれか一項に記載の吸着体アセンブリ。
【請求項４４】
前記注入開口部は、周囲条件下で５ｍｇ／時未満の拡散速度を有する、請求項３３〜４３のいずれか一項に記載の吸着体アセンブリ。
【発明の詳細な説明】
【技術分野】
【０００１】
本出願は、全ての指定国における出願人である米国籍企業Ｄｏｎａｌｄｓｏｎ  Ｃｏｍｐａｎｙ，Ｉｎｃ．及び全ての指定国における発明者である米国民Ａｎｄｒｅ  Ｄ．Ｌｅｉｅｒの名義において、ＰＣＴ国際特許出願として２０１６年５月２６日に出願されており、且つ２０１５年５月２６日出願の米国仮特許出願第６２／１６６，４８３号明細書に対する優先権を主張し、その内容の全てが参照により本明細書中に組み込まれる。
【０００２】
本出願は、エンクロージャ用の吸着体アセンブリを対象とする。より詳細には、本出願は、電子機器エンクロージャのためのカスタマイズ可能な湿度を有する吸着体アセンブリを対象とする。
【背景技術】
【０００３】
多くのエンクロージャの内部は、制御された湿度で維持されることが望ましい。例えば、電子機器エンクロージャに関連して、低湿度を維持することは、水分子に起因する電子部品の腐食及び劣化を回避する利点を有することができるが、電子機器エンクロージャ内の低すぎる湿度を維持することは、構成部品を損傷させる恐れのある静電気を引き起こす可能性がある。従って、多くの場合、特定の相対湿度範囲内に湿度を制御することが望ましい。例えば、ディスクドライブエンクロージャの場合、ディスクドライブエンクロージャ内の水蒸気量は空気密度に影響を及ぼす可能性があり、それにより読み書きヘッドの浮上高に重大な影響を及ぼす。これらの状況では、読み書きヘッドの高さを特定の狭い範囲内に維持できるように、制御された一貫性のある湿度を維持することが望ましい。これは、吸着体の湿気量がエンクロージャ内に恒久的に閉じ込められる密封エンクロージャに関連して特に重要である。
【発明の概要】
【発明が解決しようとする課題】
【０００４】
吸着体アセンブリは、通常、湿度を制御するためにエンクロージャ内で用いられ、シリカゲル、活性炭等の様々な吸着材を含むことができる。しかし、ディスクドライブエンクロージャ（一例として）への吸着体の単なる追加は、水分がディスクドライブの製造、保管、及び操作中に吸収され、脱着される方法等の様々な要因のために、必ずしも全ての水分管理問題を解決するわけではない。エンクロージャ内の湿度を制御するという課題は、吸着体アセンブリ及びエンクロージャ自体が製造される不定条件、すなわち、多くの製造設定が、存在するいずれの吸着体も大気中水分を容易に吸収できる比較的開かれた環境内にあることによって複雑になる。従って、吸着体アセンブリと、従ってエンクロージャとの所望の湿度レベルが維持できるように、製造及び取扱中に吸着体アセンブリ内の含水率を制御し、維持することに対するニーズが存在する。
【課題を解決するための手段】
【０００５】
本技術の一実施形態は、吸着体アセンブリを構築する方法に関する。吸着材がハウジング内に密閉される。ハウジング内に密閉される吸着材は、湿気が、ハウジングによって画定される注入開口部を通してハウジングから排出されることを可能にすることによって乾燥される。水が注入開口部を通してハウジング内に注入される。ハウジング内に水を注入した後、ハウジングの注入開口部は、実質的に水蒸気不透過性の材料で封止される。吸着体アセンブリも説明される。
【０００６】
別の実施形態では、吸着体アセンブリは、キャビティ及び注入開口部を画定するハウジングを有する。第１の吸着材がキャビティの一部内に位置決めされ、及びハウジング及び第１の吸着材によって画定される空隙容積が注入開口部に隣接する。第１の実質的に水蒸気不透過性の材料が注入開口部を塞ぐようにハウジングに結合される。
【０００７】
本技術の別の実施形態は、吸着体アセンブリに関する。ハウジングがキャビティ及び注入開口部を画定し、及び吸着材がハウジング内に位置決めされる。メンブレンが注入開口部の周囲でハウジングに結合され、ここで、メンブレンは、注入開口部と重なり合う開口部を画定する。第１の実質的に水蒸気不透過性の材料が注入開口部を塞ぐ。
【０００８】
本技術は、添付図面に関連して、本技術の様々な実施形態の以下の詳細な説明を考慮してより詳細に理解及び認識され得る。
【図面の簡単な説明】
【０００９】
【図１】本明細書中に開示する技術と一致するハウジング例の斜視図である。
【図２】図１のハウジング例内に位置決めされる吸着体の斜視図である。
【図３】本明細書中に開示する技術と一致するカバーシールを有するハウジングの斜視図である。
【図４】本明細書中に開示する技術と一致する注入開口部を画定するハウジングの斜視図である。
【図５】注入開口部と流体連通する注入ノズルの斜視図である。
【図６】本明細書中に開示する技術と一致する吸着体アセンブリの斜視図である。
【図７】図６の吸着体アセンブリの断面平面図である。
【図８】本明細書中に開示する技術と一致する代替の吸着体サブアセンブリの断面平面図である。
【図９】本明細書中に開示する技術の一実施例と一致する、図８の吸着体サブアセンブリへの注入の断面平面図である。
【図１０】図９に示す実施形態と一致する一例の吸着体アセンブリの断面平面図である。
【図１１】図９に示す実施形態と一致する別の例の吸着体アセンブリの断面平面図である。
【図１２】本明細書中に開示する技術と一致する更に別の例の吸着体アセンブリの断面側面図である。
【図１３】図１２の吸着体アセンブリ例の断面図である。
【図１４】本明細書中に開示する技術と一致する吸着体サブアセンブリの斜視図である。
【図１５】本明細書中に開示する技術と一致する別の例の吸着体アセンブリの断面側面図である。
【図１６】参照のためのシリカゲル水吸着等温線例である。
【発明を実施するための形態】
【００１０】
本明細書中に開示する技術は、一般に、吸着体アセンブリと、カスタマイズ可能な相対湿度を有するように吸着体アセンブリを構築する方法とに関する。吸着体アセンブリは、特定の質量の略乾燥した吸着材及び特定の質量の水分が実質的に不透湿性であるハウジング内に封止されるように構築される。ハウジング内の吸着材及び水分の量は、電子機器エンクロージャ又は他の種類のエンクロージャ等のその意図する環境内に設置される場合に所定の相対湿度で動作するように構成される。
【００１１】
図１〜６は、本明細書中に開示する技術と一致する吸着体要素を構築する一実施例の方法における多様なステップを示す。様々な方法に従って、図１に示すハウジング１００等の吸着体アセンブリのハウジングが形成される。ハウジング１００は、一般に、キャビティ１０２を画定する。本実施形態では、ハウジング１００は、両方でキャビティ１０２を画定するベース面１０１及び少なくとも１つの側壁１０３を有する。ここに示す実施形態では、４つの側壁１０３がベース面１０１に接合されてキャビティ１０２を有するボックスを画定するが、幾つかの実施形態では、ハウジングは追加の又はより少ない側壁を有し得る。ハウジングが代替形状を画定する構成が考えられる。
【００１２】
ハウジング１００は、当該技術分野で周知の様々な手法によって構築され得、一実施例によれば、ハウジング１００は射出成形される。ハウジング１００は、様々な材料及び材料の組み合わせから構築され得る。一般に、ハウジングは、実質的に不透湿性である材料から構築され、それは、ハウジングを構築するために用いられる材料が、摂氏３８度及び相対湿度９０％で厚さ１ミル当たり２４時間につき２６０グラム毎平方メートル未満の水蒸気透過率を有することを意味することを意図される。幾つかの特定の実施例では、ハウジングは、摂氏３８度及び相対湿度９０％で１ミル厚さ当たり２４時間につき１００グラム毎平方メートル未満、又は更に２５グラム毎平方メートル未満の水蒸気透過率を有する材料から構築される。幾つかの実施例では、ハウジング１００はポリカーボネート等のプラスチックである。幾つかの他の実施例では、ハウジング１００は金属である。
【００１３】
様々な方法によれば、吸着材はハウジング内に密閉される。図２は、ハウジング１００によって画定されるキャビティ１０２内に位置決めされる吸着材１１０を示し、図３は、カバーシール１２０がハウジング１００に結合され、且つキャビティ１０２を覆って吸着材１１０を密閉する吸着体サブアセンブリを示す。
【００１４】
吸着材１１０は、様々な種類の吸着体及び吸着体の種類の組み合わせであり得る。本明細書中に説明する幾つかの実装では、吸着材１１０はシリカゲルを含有する。吸着材の例は、例えば、モレキュラーシーブ及び活性炭を含み得る。適切な吸着材は、シリカゲル、モレキュラーシーブ、及び／又は活性炭の組み合わせを含み得る。様々な実施例では、吸着材１１０は圧縮成形タブレット状に形成される。他の適切な吸着材は、吸着ウェブ、吸着ビーズ、吸着顆粒、粉末、他の形態の吸着体、及びそれらの組み合わせであり得る。
【００１５】
例示の実施形態では、吸着材１１０は、シリカゲルを含有せず、別の方法では少なくとも２０重量パーセントのシリカゲルを含有し、代替として少なくとも４０重量パーセントのシリカゲルを含有し、及び任意選択的に少なくとも８０重量パーセントのシリカゲルを含有する。幾つかの実装では、吸着体は、２０重量パーセント未満のシリカゲル、代替として６０重量パーセント未満のシリカゲル、及び任意選択的に１００重量パーセント未満のシリカゲルを有する。適切な吸着材は、例えば、０〜２０重量パーセントのシリカゲル、４０〜６０重量パーセントのシリカゲル、及び代替として８０〜１００重量パーセントのシリカゲルを含有する吸着体を有し得る。
【００１６】
例示の実施形態では、吸着材１１０は、活性炭を全く有さず、代替として少なくとも２０重量パーセントの活性炭、及び幾つかの例示の実施形態では少なくとも５０重量パーセントの活性炭を有する。幾つかの実装では、吸着体は、２０重量パーセント未満の活性炭、５０重量パーセント未満の活性炭、及び１００重量パーセント未満の活性炭を有する。適切な吸着材は、例えば、０〜２０重量パーセントの活性炭、２０〜５０重量パーセントの活性炭、及び代替として５０〜１００重量パーセントの活性炭を含有し得る。
【００１７】
カバーシール１２０は、一般に、実質的に水蒸気不透過性の材料から構築されて、吸着体とハウジング１００の外側の環境との間の水蒸気透過を制限する。様々な材料がカバーシールを構築するために用いられ得る。幾つかの実施例として、カバーシール１２０はポリマーフィルム又は金属箔から構築される。ポリマー材料はポリエチレン等のポリオレフィンであり得る。適切なポリマー材料は、ポリプロピレン、ポリエチレンテレフタレート、ポリエチレン、及びそれらの組み合わせを含む。幾つかの実装では、ポリマー材料は、フィルムを通る水蒸気輸送を更に制限するように金属コーティングを含む。幾つかの実施形態では、より厚いフィルムが確かに考えられるが、適切なポリマーフィルムは、０．１〜１ミル、１〜３ミル、及び３〜５ミルの厚さを有する。
【００１８】
カバーシール１２０は、一般に、キャビティ１０２の外周でハウジング１００に結合される。本実施形態では、カバーシール１２０はその縁部に沿ってハウジング１００に結合される。カバーシール１２０は、接着剤、加熱又は超音波溶着等による等の様々な手法によってハウジング１００に結合され得る。幾つかの例示の実施形態では、カバーシール１２０はハウジング１００に対して脱着可能に密閉される。かかる実施形態では、カバーシール１２０は、エンクロージャへの吸着体アセンブリの設置前に、カバーシールが、吸着体アセンブリの操作のためにキャビティとエンクロージャとの間の連通を可能にするように取り外すことができるように、手動で係合可能な特徴を画定し得る。手動で係合可能な特徴は、例えば、タブであり得る。
【００１９】
吸着体アセンブリがエンクロージャ内に設置されるように構成され、及びカバーシール１２０が、少なくとも１つの実施形態では、ハウジング１００から外されてキャビティとエンクロージャとの間の連通を可能にするように構成される範囲において、（カバーシール１２０が横断して延在する）キャビティ１０２に通じるハウジング１００の外面１０６によって画定される開口部１０８（図２を参照）は、かかる開口部が吸着体アセンブリの操作に用いられるため、ハウジング１００の機能開口部１０８と称され得る。機能開口部１０８は、一般に、キャビティ１０２とエンクロージャとの間に配設されるいずれのフィルター材も考慮に入れて、キャビティ１０２とエンクロージャとの間の十分な水蒸気透過を可能にする大きさである。様々な実施形態では、機能開口部１０８は、また、吸着材２１０の設置に適応する大きさである。
【００２０】
吸着体アセンブリを作成する方法の検討に戻ると、本技術と一致する様々な方法において、ハウジング１００とカバーシール１２０との間のキャビティ１０２内に封入される吸着体１１０（図２を参照）は乾燥され、それを図４に示す。ハウジング１００によって画定される注入開口部１０４と称される開口部１０４は、吸着体１１０からの湿気がハウジング１００から排出されることを可能にする。吸着体１１０を乾燥させることは、様々な異なる手法により実行され得る。例えば、吸着体１１０を含むハウジング１００は、湿気が吸着体から出ることを促進するオーブン又は他の乾燥環境内に載置され得る。別の実施例では、吸着体１１０を含むハウジング１００は、加熱されてもされなくてもよい真空隔室内に載置される。吸着体１１０は、一般に、相当量の湿気が吸着体から排出されたと予想することが合理的となるまで乾燥環境内に載置される。吸着体１１０は、一般に、サブアセンブリの重量が乾燥環境内での長時間後に変化しない場合に乾燥していると考えられ得る。
【００２１】
特定の乾燥時間は、一般に、吸着体１１０内の湿気量、乾燥プロセスで用いられる機器及び機器設定、ハウジング１００内の吸着体１１０の質量、ハウジング１００内の注入開口部１０４の長さ及び直径、並びに認識されるであろう他の要因に関係する。吸着体の重量が１，１６０ｍｇであり、注入開口部１０４の直径が約１ｍｍである１つの例示の実施形態では、吸着体１１０を保持するハウジング１００は、６０℃の真空オーブン内で約２４時間にわたり乾燥される。
【００２２】
注入開口部１０４は、吸着体１１０の乾燥前にハウジング１００において作成される。幾つかの実施形態では、注入開口部１０４は、ハウジングを作成する際に射出成形プロセスで用いられる型によって形成されるようにハウジング１００の形成と同時に形成される。幾つかの他の実施形態では、ハウジング１００が形成され、次いで、注入開口部１０４が、更なる製造ステップ中にハウジングに穿孔することによって形成される。用語「穿孔」は、ドリリング、パンチング、ピアシング等によるなど、ハウジング１００に注入開口部１０４を形成するために用いられ得る全ての手法に言及するために用いられる。少なくとも１つの実施形態では、ハウジング１００は、注入開口部の位置を中心とする穿孔を画定するように形成され、注入開口部は、穿孔の境界内側でハウジングを押圧し、それによりハウジングの一部を除去して、注入開口部１０４を作成することによって形成される。
【００２３】
吸着材１２０（図２）が乾燥した後、流体が注入開口部１０４を通してハウジング１００に注入され、それを図５に示す。注入器１３０は、流体をハウジング１００内に注入するためにハウジングによって画定される注入開口部１０４を通して挿入され得る。幾つかの実施形態では、注入器１３０は、流体をハウジング１００内に注入するために注入開口部１０４と当接するように位置決めされる。注入器１３０は、一般に、流体をハウジング１００内に注入する能力を有する構成部品として画定され、シリンジ、針、ピペット、又は他の装置であり得る。様々な実施形態では、流体は、実質的に、水又は水を含む別の物質から構成される。ハウジング１００内に注入される水の量は、一般に、吸着材１１０によって吸収されるように構成され、吸着体アセンブリがその意図する環境内で動作している場合、結果として特定の相対湿度を生じる所定量である。幾つかの実施形態では、乾燥ステップは、吸着体の乾燥質量が知られており、且つ吸着体の測定質量が水分に起因する場合等、吸着体の含水量が既に知られていれば必要ではない。かかる例では、ハウジング１００内に注入されるべき流体の質量は、吸着体１１０によって既に吸収された水の質量分だけ低減され得る。
【００２４】
吸着体アセンブリの相対湿度は測定され、アセンブリの含水量と相関関係にあり得る。１つの試験方法は、カリフォルニア州サンノゼに拠点を置くＭａｘｉｍ  ＩｎｔｅｇｒａｔｅｄからのｉＢｕｔｔｏｎ（登録商標）Ｈｙｇｒｏｃｈｒｏｎ温度／湿度ロガーを用いる。完成した吸着体アセンブリからカバーシールは取り外され（あたかも吸着体アセンブリがエンクロージャに設置されていたかのように）、吸着体アセンブリ及びｉＢｕｔｔｏｎセンサは、２０℃〜２２℃で５日間にわたり、実質的に含まれる環境内に密封され、相対湿度及び温度データが収集される。相対湿度は、センサからの相対湿度読取値が横這い状態に達すると、（２パーセントポイント内の）平均として決定される。測定された相対湿度が規則的に変動することが認識される一方、平均値が２４時間以上にわたる等、長期間にわたって比較的一定に留まるように現れる場合、相対湿度は横這い状態にあると理解される。
【００２５】
相対湿度測定に起因し得る吸着体アセンブリによって含有される水分量は、乾燥プロセスの前後で吸着体アセンブリを計量することによって計算され得る。本試験プロセス例では、吸着体アセンブリは試験前に計量された。試験後、吸着体アセンブリは、アセンブリが実質的に乾燥するまで真空オーブン内に載置され、（試験のために事前に取り外されたカバーアセンブリと共に）再度計量された。本試験は、図１２を参照して説明され、以下で詳細に検討するものと一致する吸着体アセンブリに関して行われた。約１，１６０ｍｇの質量を有するシリカゲルである第１の吸着材を用いて、９０ｍｇの水をハウジングに注入し、結果として平均約１８％±２％の相対湿度を得た。吸着体アセンブリは、また、図１２を参照して以下でより詳細に説明される約４５ｍｇの質量を有する活性炭の第２の吸着材を有していたことに留意されたい。
【００２６】
吸着体アセンブリの構築のための目標相対湿度は、吸着体アセンブリが曝されると予想される更なる条件により、その特定の最終用途環境に設置される場合に吸着体アセンブリの意図する相対湿度よりも高くても低くてもよいことが当業者によって理解されるであろう。例えば、電子機器エンクロージャ内に構築された吸着体アセンブリを設置することが、結果として構築された吸着体アセンブリを比較的高い湿度環境に曝すことになる場合、吸着体アセンブリの構築のための目標相対湿度は、電子機器エンクロージャ内の吸着体アセンブリの意図する相対湿度よりも低くなる。かかる実施例によれば、吸着体アセンブリは、設置前に高湿度環境において一部の水分含有量を吸収する可能性があり、結果として、電子機器エンクロージャ内に設置されるとより高い相対湿度を生じることが理解されるであろう。
【００２７】
図１６は、シリカゲル例の相対湿度をシリカゲルによって吸収される水分量と関連付ける参照のためのシリカゲル水吸着等温線例を示し、ここで、吸収される水分量はシリカゲルの質量の変化として表される。グラフに反映される具体例として、相対湿度２０％であるシリカゲルが水中でその質量の約１２％を吸収し、その結果、１００ｍｇのシリカゲルは、約１２ｍｇの水を吸収した。換言すれば、１００ｍｇのシリカゲルを相対湿度２０％にするには、シリカゲルは約１２ｍｇの水を吸収する必要がある。吸着体のための特定の等温線は、吸着体の種類及び吸着体の特定の構成等の多くの要因に基づいて変化する。
【００２８】
様々な実施形態では、水は、図２及び７に実施例として示すハウジング１００及び吸着材１１０によって相互に画定される空隙容積１１２内に注入される。空隙容積１１２は、一般に、注入開口部１０４に隣接する。空隙容積１１２は、一般に、吸着体アセンブリ１１０によって吸収されるように構成される所定量の水を収容するように構成される。空隙容積１１２は、一般に、吸着材１１０と、ハウジング１００と、カバーシール１２０との間に画定されるキャビティ１０２の結合領域である。空隙容積１１２は、注入された水量を即座に受け入れることができ、水は、ハウジング１００内のキャビティの他の領域に移動する時間を必要としないため、比較的迅速な注入を可能にする。
【００２９】
注入開口部１０４は、一般に、カバーシール１２０によって覆われるハウジングキャビティ１０２の開口部よりも小さい。注入開口部１０４は、一般に、例えば、以下の競合する要因の平衡を保つ大きさである：（１）乾燥プロセス中の吸着体１１０の乾燥時間を最小限にすること、（２）吸着体１１０を乾燥させた後、及びハウジング１００への水注入後の注入開口部１０４を通る湿気の拡散速度を制限すること、（３）吸着体１１０を乾燥させた後の水注入を可能にすること、（４）ハウジング１００内の水量が、その中に注入された後に注入開口部を通して流出しないように防ぐこと。
【００３０】
最初の２つの要因に関して、注入開口部１０４の長さも、注入開口部１０４の位置におけるハウジング１００の厚さによる注入開口部１０４を通した水蒸気透過に関連する。第３の要因に関して、注入器と注入開口部１０４との間の整列が望ましい自動製造プロセスを容易にするために、比較的大きい注入開口部１０４を有することが望まれ得る。第４の要因に関して、水の凝集性と組み合わせられる比較的小さい注入開口部１０４により、水が注入開口部１０４を通してハウジングから流出しないように防ぎ得る。
【００３１】
吸着体アセンブリが上で説明したような機能開口部１０８を画定する実施形態では、注入開口部１０４は機能開口部１０８よりも小さい断面積を有する。様々な実施形態では、注入開口部１０４は３１５ｍｍ２未満の断面積を有する。幾つかの実施形態では、注入開口部は０．２ｍｍ２〜８０ｍｍ２の断面積を有する。幾つかのより特定の実施例では、注入開口部１０４は、０．８ｍｍ２〜約２０ｍｍ２、０．８ｍｍ２〜約１３ｍｍ２、及びおそらく０．８ｍｍ２〜３．２ｍｍ２の断面積を有する。幾つかの例示の実施形態では、注入開口部は約１３ｍｍ２未満の断面積を有する。注入開口部１０４の長さは、同様に様々な範囲内にあり得る。幾つかの例示の実施形態では、注入開口部１０４は、約１０ｍｍ未満、約７ｍｍ未満、約５ｍｍ未満、又は約３ｍｍ未満の長さを有する。１つの特定の実施形態では、注入開口部は約２．４ｍｍである。寸法測定による代わりに、特定の拡散速度を有するものとして注入開口部を代わりに画定することが望まれ得る。例えば、周囲条件下で、注入開口部１０４に対して５ｍｇ／時未満、３ｍｇ／時未満、又は更には１ｍｇ／時未満の拡散速度を有することが望まれ得る。
【００３２】
ハウジング１００内に水を注入した後、注入開口部１０４は、図６及び７に示す実質的に水蒸気不透過性の材料１４０で封止され得、ここで、図７は図６の断面図である。実質的に水蒸気不透過性の材料１４０は、金属、プラスチック、ポリマー、接着剤等の様々な種類の材料であり得る。一実施形態では、実質的に水蒸気不透過性の材料１４０は金属化フィルムである。１つの例示の実施形態では、ハウジング１００の注入開口部１０４は、実質的に水蒸気不透過性の材料１４０を注入開口部１０４の上でハウジング１００に接着することによって封止され得る。別の例示の実施形態では、実質的に水蒸気不透過性の材料１４０は、熱可塑性樹脂又は他の材料のプレートであり得、注入開口部１０４の上でハウジング１００に溶着される。更に別の例示の実施形態では、実質的に水蒸気不透過性の材料１４０は、溶融した熱可塑性樹脂、又は注入開口部１０４の上でハウジング１００に配設され、当該技術分野で公知の手段により凝固するエポキシ等の接着剤であり得る。実質的に水蒸気不透過性の材料１４０は、上で説明した水蒸気透過率を有し得る。１つの特定の例示の実施形態では、実質的に水蒸気不透過性の材料１４０は、その意図する環境（電子機器エンクロージャ等）内での設置時に注入開口部１０４が拡散チャネルとして動作できるように、ハウジング１００に対して脱着可能であり得る。
【００３３】
他の構成部品及び構成部品の組み合わせは、様々な実施形態において、吸着体アセンブリを構築するように、ハウジング１００によって画定されるキャビティ内に配設され得る。一例として、第２の吸着材がハウジング１００内に載置され得る。幾つかのかかる例では、バリア材が第１の吸着体と第２の吸着体との間に位置決めされ得る。別の例として、メンブレン等の粒子濾過材が、ハウジング１００のキャビティ１０２内に吸着材からの粒子を含むように吸着材とカバーシール１２０との間でハウジング１００内に載置されるか、それに結合され得る。１つの例示の実施形態を、概して図３〜７と一致する吸着体アセンブリ例１０００の断面側面図である図１５に示す。
【００３４】
図１５の吸着体アセンブリ１０００は、キャビティ１１０２を画定するハウジング１１００と、キャビティ１１０２内に配設された吸着材１１１０とを有する。カバーシール１１２０はハウジング１１００に結合されて、吸着材１１１０への水蒸気透過を防ぐように吸着材１１１０をハウジング１１００内に封入する。注入開口部１１０４は、注入開口部１１０４を通した透湿を防ぐように実質的に水蒸気不透過性の材料１１４０で封止されるハウジング１１００によって画定される。フィルター材１１８０は、キャビティ１１０２内に吸着材１１１０の粒子を含むように吸着材１１１０とカバーシール１１２０との間でハウジング１１００に結合される。フィルター材１１８０は、様々な種類のフィルター材であり得、一実施形態ではポリテトラフルオロエチレンであるが、他の種類のフィルター材１１８０が用いられ得る。様々な構成部品に対して用いられる材料及び構成部品のバリエーションは、他の図面を参照して本明細書中で既に説明したものと一致し得る。ハウジング内に配設される複数の構成部品を有する別の実施形態は、図１２を参照して以下で説明され、追加の実施形態も当業者によって認識されるであろう。
【００３５】
図８は、本明細書中に開示する技術と一致する吸着体サブアセンブリの別の例示の実施形態の断面図を示す。ハウジング１００は、キャビティ１０２及び注入開口部１０４を画定する。吸着材１１０は、ハウジング１００及び吸着材１１０が空隙容積１１２を相互に画定するようにハウジング１００内に配設される。加えて、メンブレン１５０がキャビティ１０２内に配設され、ハウジング１００に結合され、注入開口部１０４を横断して配設される。本実施形態では、注入開口部１０４は、吸着材１１０をハウジング内に密閉する前にハウジング１００によって画定される。封止カバーをキャビティ１０２の上でハウジング１００に（ここでは図示しないが、図３を参照して上で説明したように）結合させた後、吸着材は、図４を参照して上で説明したように乾燥される。乾燥中、湿気は注入開口部１０４を横断して配設されたメンブレン１５０を通してハウジング１００から排出される。
【００３６】
メンブレン１５０は、それを通る粒子の移動を防ぐことができる様々な材料であり得る。様々な実施形態では、メンブレン１５０は、概して、注入開口部１０４を通した水蒸気透過を可能にする。複数の実施形態では、メンブレン１５０はポリテトラフルオロエチレンであるが、他の材料がメンブレン１５０として確かに用いられ得る。
【００３７】
メンブレン１５０が注入開口部１０４を横断してキャビティ１０２内に配設される実施形態では、メンブレン１５０は、水をハウジング１００内に注入するステップの前又はその間に穿孔され得、その一実施形態を図９に示す。かかる実施形態では、注入器１３０自体がメンブレン１５０を穿孔して、注入開口部１０４と重なり合うメンブレン開口部１５２を作成することができる。別の方法例では、メンブレン１５０は、注入開口部１０４と重なり合うメンブレン開口部１５２を作成するように穿孔工具によって穿孔され、水が注入開口部１０４及びメンブレン開口部１５２を通してハウジング１００内に注入される。
【００３８】
注入開口部１０４及びメンブレン開口部１５２を通して水を注入した後、実質的に水蒸気不透過性の材料は、ハウジング１００に結合されて注入開口部１０４を塞いで吸着体アセンブリ６００を作成する。図１０は、類似の方法により構築されたかかる吸着体アセンブリ例６００の断面図である。吸着体アセンブリ６００は、キャビティ１０２を画定するハウジング１００と、ハウジング１００の壁部を通る注入開口部１０４とを有する。吸着材１１０はハウジング１００内に位置決めされる。メンブレン１５０は注入開口部の周囲でハウジング１００に結合され、ここで、メンブレンは注入開口部と重なり合う開口部を画定する。第１の実質的に水蒸気不透過性の材料１４０はハウジング１００に結合され、注入開口部１０４及びメンブレン開口部１５２を塞ぐ。少なくともハウジング１００及び吸着材１１０は、注入開口部１０４に隣接する空隙容積１１２を画定する。幾つかの実施形態では、カバーシール（ここでは図示しないが、一実施例は図３に示される）も空隙容積１１２を画定する。
【００３９】
図１１は、本明細書中に開示する技術と一致する吸着体アセンブリ７００の別の例示の実施形態を示す。吸着体アセンブリ７００は、キャビティ１０２を画定するハウジング１００と、ハウジング１００の壁部を通る注入開口部１０４とを有する。吸着材１１０はハウジング１００内に位置決めされる。メンブレン１５０は注入開口部１０４の周囲でハウジング１００に結合され、ここで、メンブレン１５０は注入開口部１０４と重なり合うメンブレン開口部１５２を画定する。ハウジング１００及び吸着材１１０は、注入開口部１０４に隣接する空隙容積１１２を画定する。先に説明した実施形態に示したものと異なる構成を有する第１の実質的に水蒸気不透過性の材料１４２がハウジング１００に結合され、注入開口部１０４及びメンブレン開口部１５２を塞ぐ。本実施形態では、第１の実質的に水蒸気不透過性の材料１４２は、注入開口部１０４内に少なくとも部分的に配設されて注入開口部１０４を封止するプラグである。プラグ１４２は様々な材料から構築され得、少なくとも１つの実施形態では、プラグ１４２は注入開口部１０４内又はその上に配設され、次いで、硬化される接着材料である。別の実施形態では、プラグはねじ、又は注入開口部１０４に栓をする１つ以上の他の機能である。一実施例では、メンブレン１５０は省略され得ることに留意されたい。
【００４０】
図１２は、本明細書中に開示する技術と一致する吸着体アセンブリ８００の別の例示の実施形態の断面側面図を示し、図１３は、図１２の例示の実施形態の断面平面図を示す。吸着体アセンブリ８００は、キャビティ２０２を画定するハウジング２００と、ハウジング２００の壁部を通る注入開口部２０４とを有する。第１の吸着材２１０はハウジング２００内に位置決めされる。メンブレン２５０は注入開口部２０４の周囲でハウジング２００に結合され、ここで、メンブレン２５０は注入開口部２０４と重なり合うメンブレン開口部２５２を画定する。幾つかの実施形態では、メンブレンは、認識されるように省略される。ハウジング２００及び吸着材２１０は、注入開口部２０４に隣接する空隙容積２１２を画定する。第１の実質的に水蒸気不透過性の材料２４０はハウジング２００に結合され、注入開口部２０４及びメンブレン開口部２５２を塞ぐ。カバーシール２２０は、ハウジング２００に結合され、且つキャビティ２０２を覆う。本実施形態では、吸着体アセンブリ８００の操作のためにエンクロージャ内への設置時に脱着されるように構成されるカバーシール２２０である。様々な構成部品に対して用いられる材料及び構成部品のバリエーションは、他の図面を参照して本明細書中で既に説明したものと一致し得る。
【００４１】
吸着体アセンブリ８００は、また、第２の実質的に水蒸気不透過性の材料であり、ハウジング１００に結合されるバリア層２７０と、キャビティ２０２内に位置決めされる第２の吸着材２６０とを有する。第２の吸着材２６０は、バリア層２７０に対して第１の吸着材２１０の反対側に位置決めされる。第２の吸着材２６０は、図２に示す吸着材を参照して上で説明したものと類似する様々な種類の吸着材を含み得る。幾つかの実施形態では、第２の吸着材２６０は第１の吸着材２１０と異なる種類の材料である。幾つかの実施形態では、第２の吸着材２６０は主に活性炭であり、第１の吸着材２１０は主にシリカゲルである。幾つかのかかる実施形態では、第２の吸着材２６０は活性炭ウェブの層である。１つの特定の例示の実施形態では、第２の吸着材２６０はシート状に圧縮された粉末活性炭及びポリテトラフルオロエチレン複合材料の厚さ０．２５ｍｍの層である。
【００４２】
バリア層２７０は、第１の吸着材２１０への制限された水蒸気通過を可能にするように１つ以上の開口部２７２を画定する。バリア層２７０はポリマーカバーであり得る。フィルター材２８０は、第１の吸着材２１０及び第２の吸着材２６０を含むようにハウジング２００に結合される。フィルター材２８０は、様々な異なる種類の粒子フィルター材であり得、一実施形態ではポリテトラフルオロエチレンである。フィルター材２８０は、例えば、吸着材２１０、２６０からの粒子がハウジング２００から出ないように防ぐために構成され得る。フィルター材２８０は、加熱溶着、超音波溶着、接着剤等の当該技術分野で公知の様々な手段によってハウジング２００に結合され得る。
【００４３】
図１４は、本明細書中に開示する技術と一致する吸着体サブアセンブリ例９００の斜視図を示す。この実施形態では、吸着材４１０は、ハウジング４００内に配設されるばらばらのビーズ、粒子等である。かかる実施形態では、吸着材４１０及びハウジング４００は、吸着材４１０の特定の位置がハウジング４００の配向によって変化できるため、注入開口部４０４に隣接する空隙容積４１２を画定することを特徴とし得る。従って、ハウジング４００は、ハウジング４００及び吸着体ビーズ４１０は、注入開口部４０４に隣接する空隙容積４１２を画定するように位置決めされ得る。吸着体サブアセンブリ例９００は、本明細書中に説明する材料、構成部品、及び構成部品のバリエーションを用いて、本明細書中に開示する技術と一致する吸着体アセンブリを構築するために用いられ得る。
【００４４】
また、本明細書及び添付の特許請求の範囲で用いるように、語句「構成される」とは、特定のタスクを実行するか、又は特定の構成を採用するように構築若しくは構成されるシステム、装置、又は他の構造を説明することに留意されたい。語句「構成される」は、「編成される」、「編成及び構成される」、「構築及び編成される」、「構築される」、「製造及び編成される」等の他の同様の語句と交換可能に用いられ得る。
【００４５】
本明細書内の全ての刊行物及び特許出願は、本技術に関係する当業者の水準を示す。全ての刊行物及び特許出願は、あたかもそれぞれの個々の刊行物又は特許出願が参照により詳細且つ個々に示されるのと同じ程度で、参照により本明細書中に組み込まれる。
【００４６】
本出願は、本主題の適応形態又は変形形態も含むことを意図している。上記の説明は例示的であることを意図しており、限定するものではないことが理解される。
【図１】
2018524143.tif 000003
【図２】
2018524143.tif 000004
【図３】
2018524143.tif 000005
【図４】
2018524143.tif 000006
【図５】
2018524143.tif 000007
【図６】
2018524143.tif 000008
【図７】
2018524143.tif 000009
【図８】
2018524143.tif 000010
【図９】
2018524143.tif 000011
【図１０】
2018524143.tif 000012
【図１１】
2018524143.tif 000013
【図１２】
2018524143.tif 000014
【図１３】
2018524143.tif 000015
【図１４】
2018524143.tif 000016
【図１５】
2018524143.tif 000017
【図１６】
2018524143.tif 000018
【国際調査報告】
2018524143.tif 000019
2018524143.tif 000020